(57)【要約】【課題】  回転刃などの回転部材が端部に露出して配設されたハンディタイプのフードプロセッサーにおいて、使用者の不注意で回転部材が回転する恐れがなくて安全性が高くかつ使い勝手の良いものを提供する。【解決手段】  モータ１７にて回転駆動される回転部材が端部に露出して配設されたハンディタイプのフードプロセッサーにおいて、モータ１７の回転をオンオフ操作するメインスイッチ１６と、メインスイッチ１６に直列に接続された電子スイッチ２６と、電子スイッチ２６をオンオフ制御するオンオフ制御回路２９を有する制御部２８と、オンオフ制御回路２９に電源を供給する電源スイッチ１４とを備え、オンオフ制御回路２９は電源が供給された後電子スイッチ２６をオンし、電子スイッチ２６をオン後メインスイッチ１６のオフ状態が一定時間継続すると電子スイッチ２６をオフするようにした。【選択図】      図４
2007014521.tif 000002
【特許請求の範囲】
【請求項１】
モータにて回転駆動される回転部材が端部に露出して配設されたハンディタイプのフードプロセッサーであって、モータ回転をオンオフ操作するメインスイッチと、メインスイッチに直列に接続された電子スイッチと、電子スイッチをオンオフ制御するオンオフ制御回路を有する制御部と、オンオフ制御回路に電源を供給する電源スイッチとを備え、オンオフ制御回路は電源が供給された後電子スイッチをオンし、電子スイッチをオン後メインスイッチオフ状態が一定時間継続すると電子スイッチをオフすることを特徴とするフードプロセッサー。
【請求項２】
使用モードを選択するモード選択スイッチを設け、オンオフ制御回路はモード選択スイッチによるモード選択信号が入力された後、電子スイッチをオンすることを特徴とする請求項１記載のフードプロセッサー。
【請求項３】
電源スイッチのオンオフ状態とメインスイッチの操作可能状態を報知する報知手段を設けたことを特徴とする請求項１又は２記載のフードプロセッサー。
【請求項４】
制御部に、電子スイッチの短絡破壊を検知する手段と、電子スイッチの短絡破壊を検知したときに報知する手段とを設けたことを特徴とする請求項１〜３の何れかに記載のフードプロセッサー。
【請求項５】
制御部にメインスイッチの短絡状態を検知する手段と、メインスイッチの短絡状態を検知したときに電子スイッチをオフ状態に保持する手段と、メインスイッチの短絡状態を検知したときに報知する手段とを設けたことを特徴とする請求項１〜４の何れかに記載のフードプロセッサー。
【発明の詳細な説明】
【技術分野】
【０００１】
本発明は、フードプロセッサーに関し、特にモータにて回転駆動される回転部材が端部に露出して配設されたハンディタイプのフードプロセッサーに関するものである。
【背景技術】
【０００２】
従来のハンディタイプのフードプロセッサーは、ＡＣ電源方式のものが主流であり、使用時にフードプロセッサーからコードを引き出し、先端のプラグをコンセントに差し込んで電源を供給した後、フードプロセッサーに設けられているメインスイッチをオンオフ操作することで、回転刃や攪拌翼などの回転部材を回転及び回転停止させるように構成されている。そのため、使用者は、プラグをコンセントに差し込む行動によって、メインスイッチに無意識に触れた場合には回転刃などが回転して怪我をする危険があることを予測できるものとされている。
【０００３】
一方、電池電源を内蔵しているＤＣ電源方式のものは、常に電源が接続された状態であるため、メインスイッチのほかにこのメインスイッチをロックするサブスイッチやストッパーを設け、メインスイッチとサブスイッチやストッパーの両方を同時に操作しなければメインスイッチがオンしないようにすることで、使用者が意図しないとき容易にスイッチが入ることを防ぐようにしたものが知られている。
【０００４】
例えば、下端にモータにて回転されるカッターを備え、電源電池とモータをスイッチを介して接続し、スイッチにてモータの回転を制御するように構成した「ハンドグレーダー」のスイッチとして、メインボタンをリリースボタンにてロック状態とし、リリースボタンを押してロック状態を解除した状態でメインボタンを押すことでスイッチがオンされ、さらにロック状態を解除した後はメインボタンを完全に復帰させるまでは解除状態が維持されてメインボタンの押し下げ量の切替でオンオフできるようにしたものが知られている（例えば、特許文献１参照。）。
【特許文献１】特開平１０−１６２６７７号公報
【発明の開示】
【発明が解決しようとする課題】
【０００５】
ところが、上記ＡＣ電源方式のフードプロセッサーにおいては、使用者の不注意によって回転刃が不測に回転して怪我をする恐れがあるにも関わらず、 有効な対策が講じられていないため安全性に問題がある。
【０００６】
また、ＤＣ電源方式のフードプロセッサーにおいては、上記のようなロック機構付きのスイッチを備えたものにおいても、メインボタンとロック用のリリースボタンを同時に押さなければならず、またロック解除後メインボタンのみで断続的にオンオフするには、メインボタンを完全に復帰させないようにする必要があるので、使い勝手が悪いという問題があり、またメインボタンとリリースボタンが同時に押すことができるように隣接して配置されているので、使用者が誤って同時に押してしまう恐れもあって、必ずしも安全性が高いとはいえないという問題がある。
【０００７】
本発明は、上記従来の問題点に鑑み、使用者の不注意で回転部材が回転する恐れがなくて安全性が高くかつ使い勝手の良いフードプロセッサーを提供することを課題とする。
【課題を解決するための手段】
【０００８】
本発明のフードプロセッサーは、モータにて回転駆動される回転部材が端部に露出して配設されたハンディタイプのフードプロセッサーであって、モータ回転をオンオフ操作するメインスイッチと、メインスイッチに直列に接続された電子スイッチと、電子スイッチをオンオフ制御するオンオフ制御回路を有する制御部と、オンオフ制御回路に電源を供給する電源スイッチとを備え、オンオフ制御回路は電源が供給された後電子スイッチをオンし、電子スイッチをオン後メインスイッチオフ状態が一定時間継続すると電子スイッチをオフすることを特徴とするものである。
【０００９】
この構成によると、メインスイッチとは別に設けた電源スイッチを先にオンしないと電子スイッチがオフしたままで、メインスイッチをオンしてもモータは回転せず、使用時には、先に電源スイッチをオンして電子スイッチをオンさせた後、メインスイッチをオン操作することでモータにて回転部材が回転し、使用者が作業終了後一定時間経過すると自動的に電子スイッチがオフするので、使用者が意図せずに回転部材が回転する恐れがなく、高い安全性が確保され、かつ電源スイッチとメインスイッチを各別にオンすることで回転部材を回転させることができるので使い勝手も良く、安全性の高さと使い勝手の良さの両方を兼ね備えたフードプロセッサーを提供できる。なお、電源スイッチは１回押しでオンオフ制御回路に電源を供給するものでも良いが、例えば１秒以上の長押しによってオンオフ制御回路に電源を供給するように構成すると、うっかり誤って電源スイッチをオンしたときの安全性の低下を防止することができて好適である。
【００１０】
また、使用モードを選択するモード選択スイッチを設け、オンオフ制御回路はモード選択スイッチによるモード選択信号を入力した後、電子スイッチをオンするようにすると、使用モードの選択によって使用モードに適した回転速度等の選択をすることができるとともに、モード選択後でないと電子スイッチがオンしないので、さらに使用者が意図せずに回転部材が回転する恐れがなくなるため、一層高い安全性が確保される。
【００１１】
また、電源スイッチのオン・オフ状態とメインスイッチの操作可能状態を報知する報知手段を設けると、電源スイッチのオン・オフ状態やメインスイッチの操作可能状態が音声や表示にて報知されるので、使用者が意図せずに回転部材が回転する恐れが一層なくなり、高い安全性が確保される。
【００１２】
また、制御部に、電子スイッチの短絡破壊を検知する手段と、電子スイッチの短絡破壊を検知したときに報知する手段とを設けると、電子スイッチが短絡破壊したときに直ちに報知されるので、それを知らずに無意識にメインスイッチをオンして不測に回転部材が回転するような恐れを無くすことができる。
【００１３】
また、制御部にメインスイッチの短絡状態を検知する手段と、メインスイッチの短絡状態を検知したときに電子スイッチをオフ状態に保持する手段と、メインスイッチの短絡状態を検知したときに報知する手段とを設けると、メインスイッチが短絡破壊したときや使用者によってうっかり押されたときに直ちに報知されるので、その状態であることを知ることができるとともに、うっかりして電源スイッチをオンしても、電子スイッチがオフ状態を保持しているため不測に回転部材が回転するような恐れが無く、高い安全性が確保される。
【発明の効果】
【００１４】
本発明のフードプロセッサーによれば、メインスイッチとは別に設けた電源スイッチを先にオンしないとメインスイッチをオンしてもモータは回転せず、使用時には、先に電源スイッチをオンして電子スイッチをオンさせた後、メインスイッチをオン操作することでモータにて回転部材が回転し、使用者が作業終了後一定時間経過すると自動的に電子スイッチがオフするので、使用者が意図せずに回転部材が回転する恐れがなく、高い安全性が確保され、かつ電源スイッチとメインスイッチを各別にオンすることで回転部材を回転させることができるので使い勝手も良く、安全性の高さと使い勝手の良さの両方を兼ね備えたフードプロセッサーを提供できる。
【発明を実施するための最良の形態】
【００１５】
以下、本発明のフードプロセッサーの一実施形態について、図１〜図５を参照して説明する。
【００１６】
図１〜図３において、１はハンディタイプのフードプロセッサーであり、本体部２と、この本体部２の先端に設けられた装着部３に螺合によって着脱自在に装着される作業器具４にて構成されている。作業器具４は、先細円筒状の筒体部５ａの先端にドーム状の安全カバー部５ｂが形成された器具ケース５と、器具ケース５の軸芯部に回転自在に配設された回転軸６と、回転軸６の先端に装着固定された回転刃７から成り、回転刃７の周囲が安全カバー部５ｂにて囲まれている。作業器具４を装着部３に装着した状態で、回転軸６の基端６ａが装着部３の軸芯部に設けられた回転結合部３ａに嵌入係合し、回転軸６に回転力が伝達される。
【００１７】
装着部３の外周と器具ケース５の基端部内周とに、互いに係合するねじ条８ａ、８ｂが形成され、かつ器具ケース５の基端内周に回転止め用の係合凹部９が直径方向の２箇所に形成されている。本体部２の前面部２ａは、略ストレートな半円筒状の曲面にて構成され、この前面部２ａにおける装着部３の直上位置に、図２（ａ）に示すように、係合凹部９に嵌入係合する係止片１０が弾性片１０ａにて上方に弾性的に退入可能に支持されて配置され、かつこの係止片１０を押し上げ操作する解除ボタン１１が一体的に設けられている。１２は、解除ボタン１１を外面に突出させた状態で係止片１０の配置部を覆う係止部カバーである。
【００１８】
かくして、本体部２に作業器具４を装着するときは、装着部３に器具ケース５の基端部を嵌合させつつねじ込むことによって装着することができ、その装着状態で係止片１０と係合凹部９の係合にてロックされた状態となり、作業器具４を取り外すときは、解除ボタン１１を押し上げた状態で器具ケース５をねじ方向と逆方向に回転することで、簡単に取り外すことができる。
【００１９】
本体部２の後面側は、下部に上方に向けて若干後方に膨出する下部テーパ部２ｂが、その上の中間部に凹んだ握り凹部２ｃが、上部に後方に大きく膨出する上部膨出部２ｄが形成されている。本体部２の上面は、蓋体１３にて開閉可能に閉蓋されている。蓋体１３は、平面視長円形ないし小判形で、その中央部に前後に間隔をあけて電源スイッチ１４とモード選択スイッチ１５が配設され、各々の前部にそれぞれの動作状態を表示する動作表示部としての表示ＬＥＤ１４ａと１５ａ、１５ｂ、１５ｃが配設されている。
【００２０】
本体部２内の握り凹部２ｃに対応する部分には、回転刃７の回転をオンオフ操作するメインスイッチ１６が、その操作部１６ａを前面部２ａに臨ませて配設されている。１６ｂは、操作部１６ａの位置が指の感覚で分かるようにその下部に突出された指位置指示突部である。
【００２１】
本体部２内の下部には、モータ１７がそのモータ軸１７ａを下方に向けて配設されている。モータ軸１７ａは、装着部３の軸芯部に配設され、その下部に回転結合部３ａが固定されている。装着部３の外周面の後部には、後述の電池パックからなる電源に対して充電を行うための充電端子１８が設けられている。本体部２内のモータ１７の上部には、後述の電子スイッチやモータ１７のドライバ回路などの駆動電流の制御素子を搭載した基板１９が配設されている。
【００２２】
本体部２内の上部には、後方に大きく膨出する上部膨出部２ｄにわたって、電池パックからなる電源２０が収容配置されている。また、電源２０の前部には音声報知手段としてのスピーカ２１が配設され、前面部２ａにはこのスピーカ２１に対向する位置に音声を外部に伝播する開口２２が形成されている。電源２０上には、制御部を構成する制御基板２３が蓋体１３に取付けられて配設されている。２４は、電源２０の下部に配設した、電源２０及び制御基板２３と本体部２内の電気回路とを接続するコネクタである。
【００２３】
次に、以上の構成のフードプロセッサー１における制御構成について、図４を参照して説明する。電源２０には、メインスイッチ１６と、モータ１７を駆動制御するモータドライバ２５と、電子スイッチ２６が直列に接続されている。また、電源２０には制御用電源２７が並列に接続され、この制御用電源２７から制御部２８に制御電圧が供給されている。なお、図４では、モータドライバ２５にてモータ１７を駆動制御し、モータ１７を多彩なモードで駆動制御できるようにした例を示したが、モードによってモータ１７の回転速度を切り替えるだけの場合には、電子スイッチ２６を高速で動作させることで速度切替が可能であるため、モータドライバ２５を設けずに、電子スイッチ２６で回転速度制御を行うようにしても良い。
【００２４】
制御部２８には、電子スイッチ２６をオンオフ制御するオンオフ制御回路２９が設けられ、このオンオフ制御回路２９に対しては電源スイッチ１４がオンされることで制御用電源２７から電源が供給される。なお、電源スイッチ１４は１回押しでオンオフ制御回路２９に電源を供給するものでも良いが、例えば１秒以上の長押しによってオンオフ制御回路２９に電源を供給するように構成するのが好適である。オンオフ制御回路２９は、電源スイッチ１４をオンすることにより電源が供給され、さらにモード選択スイッチ１５によるモード選択信号が入力された後に、電子スイッチ２６をオンし、その後メインスイッチ１６のオフ状態が、例えば５〜１０秒程度に設定された所定時間継続すると、電子スイッチ２６をオフするように構成されている。
【００２５】
次に、制御部２８のその他の構成と制御動作を、図４と図５を参照して説明する。電源スイッチ１４が１回押し又は長押しによってオンされると、表示ＬＥＤ１４ａを点灯してその状態を表示するとともに、電源スイッチ１４がオンされたことをスピーカ２１から音声で報知し、次にモード選択スイッチ１５を操作してモード選択するように音声で報知する。モード選択は、処理作業の種類に応じて回転刃７の回転速度等を選択するもので、モード選択スイッチ１５を押すごとに順番に切り替わって行くように構成されており、選択されたモードを表示ＬＥＤ１５ａ〜１５ｃにて表示するとともに、スピーカ２１から選択されたモードを音声にて報知する。モード選択が為されると、オンオフ制御回路２９にモード選択信号を入力するとともに、メインスイッチ１６のオン操作によって回転刃７を回転させることができる状態になったことをスピーカ２１から音声にて報知する。
【００２６】
その後、メインスイッチ１６がオンされると、制御部２８は選択されたモードに応じた駆動制御信号をモータドライバ２５に出力し、モータ１７にて回転刃７が所望のモードで回転駆動される。また、電源スイッチ１４がオンされた後、任意の時点で電源スイッチ１４がオフされた場合、またはメインスイッチ１６のオフ状態が上記の所定時間継続すると、オンオフ制御回路２９が電子スイッチ２６をオフし、電源オフ状態とする。
【００２７】
また、制御部２８はメインスイッチ１６と電子スイッチ２６がオフされた状態でそれらの間に制御電圧を印加するように構成されており、かつ制御部２８にメインスイッチ１６の接地側端子の電圧ａと、電子スイッチ２６の電源側端子の電圧ｂと、接地電圧ｃが入力されている。そして、電源スイッチ１４がオフ状態の時に、電圧ａと電圧ｃをモニターし、電圧ａが電源２０の電圧となった場合には、メインスイッチ１６が短絡状態となっていることを意味するので、その旨を表示ＬＥＤ１４ａや１５ａ〜１５ｃの点滅点灯等にて表示するとともに、スピーカ２１にて音声で報知し、さらに電子スイッチ２６をオフ状態に保持する信号をオンオフ制御回路２９に入力する。なお、メインスイッチ１６がオフ状態になれば、報知を停止して元に復帰する。また、電源スイッチ１４がオフ状態の時に、電圧ｂと電圧ｃをモニターし、電圧ｂが接地電圧ｃと同じになった場合には、電子スイッチ２６が短絡破壊していることを意味するので、その旨を表示ＬＥＤ１４ａや１５ａ〜１５ｃの点滅点灯等にて表示するとともに、スピーカ２１にて音声で報知する。
【００２８】
以上の本実施形態によれば、フードプロセッサー１の本体部２を、その握り凹部２ｃを手で握って持つことにより、握り凹部２ｃの前面部２ａに配設されたメインスイッチ１６を指で容易にオンオフして作業することができ、使い勝手が良い。特に、握り凹部２ｃの上下に重量のある電源２０とモータ１７が配設され、かつより重量の大きい電源２０が上部で、下方には作業器具４が長く延びているので、重量バランスが良くて作業時の取り扱い性が極めて良好である。また、本体部２前面部２ａが略ストレートな半円筒面で、その下端から筒状の作業器具４が下方に延びているので、前面の視界が良好で、作業状態を容易に目視することができ、作業がし易い。
【００２９】
また、作業開始に当たって、先に電源スイッチ１４をオンし、モード選択スイッチ１５を操作して使用モードを選択することで、その後はメインスイッチ１６のオンオフ操作によって回転刃７を回転させることができ、電源スイッチ１４やモード選択スイッチ１５とメインスイッチ１６を別個にオン操作すればよいので、使い勝手が良い。また、モード選択スイッチ１５にて使用モードを選択することができるので、作業の種類に応じて最適の回転速度や回転モードで回転刃７を回転させることができ、作業がし易くかつ良好な作業仕上がりを確保することができる。
【００３０】
また、蓋体１３の上面に設けた電源スイッチ１４を先にオンし、さらに使用モードを選択するモード選択スイッチ１５を操作して使用モードを選択しないと、電子スイッチ２６がオフしたままであり、その状態ではメインスイッチ１６をオンしてもモータ１７が回転しないので、不注意などによってメインスイッチ１６を押してしまった時でも回転刃７が不測に回転する恐れがなく、高い安全性が確保される。また、電源スイッチ１４をオフした場合のほか、使用者が作業を終了した後そのまま放置しても、数秒程度の一定時間が経過すると、自動的に電子スイッチ２６がオフするので、その後は使用者が不注意でメインスイッチ１６を押したりしても回転刃７が回転する恐れはなく、高い安全性が確保される。かくして、安全性の高さと使い勝手の良さの両方を兼ね備えたフードプロセッサー１を提供できる。
【００３１】
また、電源スイッチ１４のオンオフ状態やメインスイッチ１６が操作可能な状態であることを音声や表示にて報知するようにしているので、使用者が意図せずに回転刃７が回転する恐れが一層なくなり、さらに高い安全性が確保される。
【００３２】
また、制御部２８にて電子スイッチ２６の短絡破壊を検知するようにするとともに、電子スイッチ２６の短絡破壊を検知したときにスピーカ２１や表示ＬＥＤ１４ａ、１５ａ〜１５ｃで報知するようにしているので、電子スイッチ２６が短絡破壊したときに直ちに報知される。これにより、電子スイッチ２６の短絡破壊を知らずに無意識にメインスイッチ１６をオンして不測に回転刃７が回転するような恐れを無くすことができる。
【００３３】
また、制御部２８にてメインスイッチ１６が短絡していることを検知するようにするとともに、メインスイッチ１６の短絡状態を検知したときに電子スイッチ２６をオフ状態に保持し、かつスピーカ２１や表示ＬＥＤ１４ａ、１５ａ〜１５ｃで報知するようにしているので、うっかりして電源スイッチ１４をオンしても電子スイッチ２６がオフ状態を保持しているため不測に回転刃７が回転するような恐れが無く、またメインスイッチ１６が短絡状態になっていることを直ちに知ることができ、高い安全性が確保される。
【産業上の利用可能性】
【００３４】
本発明のフードプロセッサーは、電源スイッチを先にオンしないとメインスイッチをオンしてもモータは回転せず、作業終了後一定時間経過すると自動的に電源オフとなるので、使用者が意図せずに回転部材が回転する恐れがなく、高い安全性が確保され、かつ電源スイッチとメインスイッチを各別にオンすることで回転部材を回転させることができるので使い勝手も良く、安全性の高さと使い勝手の良さの両方を兼ね備えているので、回転部材が端部に露出したハンディタイプのフードプロセッサーに好適に利用できる。
【図面の簡単な説明】
【００３５】
【図１】本発明の一実施形態のフードプロセッサーを本体部と作業器具を分離して示した全体外観斜視図。
【図２】同実施形態のフードプロセッサーの本体部を示し、（ａ）は正面図、（ｂ）は後方斜め下方から見た斜視図。
【図３】同実施形態のフードプロセッサーの縦断側面図。
【図４】同実施形態のフードプロセッサーの制御構成を示すブロック図。
【図５】同実施形態のフードプロセッサーにおける状態遷移説明図。
【符号の説明】
【００３６】
１  フードプロセッサー
７  回転刃（回転部材）
１４  電源スイッチ
１４ａ  表示ＬＥＤ（動作表示部）
１５  モード選択スイッチ
１５ａ〜１５ｃ  表示ＬＥＤ（動作表示部）
１６  メインスイッチ
１７  モータ
２１  スピーカ（音声報知部）
２６  電子スイッチ
２８  制御部
２９  オンオフ制御回路
【図１】
2007014521.tif 000003
【図２】
2007014521.tif 000004
【図３】
2007014521.tif 000005
【図４】
2007014521.tif 000006
【図５】
2007014521.tif 000007